(57)【要約】【課題】折りナイフを、その離れた位置から操作して容易に清掃できるようにする。【解決手段】折りナイフ２３１の両面に密着してこれを挟み付ける２枚の払拭部材４２０と、これら２枚の払拭部材４２０を、折りナイフ２３１の面に対して摺動可能なようにその外面側で保持、固定し、折りナイフ２３１を、その離れた位置から操作できる長尺型の外殻部材４１０と、その外面側に固定されたマグネット４３０と、を有する。そして、板状の折りナイフ２３１を、その両面に密着するように挟み付けてその面を摺動し、この折りナイフ２３１の面の汚れを拭い取る。【選択図】図２
2007191231.tif 000002
【特許請求の範囲】
【請求項１】
前方は２枚の板状部材が向き合って開き力に対し弾性を有しており、
板状部材の向き合った各面には汚れ落し用の払拭部材が配され、後方は把持部となっていることを特徴とする製本装置折りナイフ清掃具。
【請求項２】
向き合った２枚の板状部材の先端部分が相互に離反する方向に反っていることを特徴とする
請求項１記載の製本装置折りナイフ清掃具。
【請求項３】
板状部材の内面側の払拭部材が
先端部分で先端に行くにつれて薄くなっていることを特徴とする請求項１又は請求項２に記載の製本装置折りナイフ清掃具。
【請求項４】
前方部分を平面的に見た形状が、Ｌ字状に幅広になっていることを特徴とする
請求項１ないし請求項３のいずれか１項に記載の製本装置折りナイフ清掃具。
【請求項５】
前記払拭部材が、不織布又は人工皮革で形成されていることを特徴とする
請求項１ないし請求項４のいずれか１項に記載の製本装置折りナイフ清掃具。
【請求項６】
外面に、マグネットを配置、固定したことを特徴とする
請求項１ないし請求項５のいずれか１項に記載の製本装置折りナイフ清掃具。
【請求項７】
請求項１ないし請求項６のいずれか１項に記載の折りナイフを備え、用紙の束に対し前記折りナイフの先端を当接させて１対の折りローラ間に押し込み折り動作を行う折り機構の前記１対の折りローラ間を拡げる折りローラ間拡張手段を備えて成ることを特徴とする製本装置。
【発明の詳細な説明】
【技術分野】
【０００１】
本発明は製本装置折りナイフ清掃具及び製本装置に関し、特に板状の折りナイフの面に付着した汚れを拭い取る製本装置折りナイフ清掃具及び製本装置に属する。
【背景技術】
【０００２】
積層された用紙の束をその中央部分で綴じ、この綴じた部分で二つ折りして中綴じ折り冊子とする製本装置では、綴じられた用紙束に対し折りナイフの先端を当接させてこの折りナイフを、１対の折りローラの間に向かって進入させることにより、用紙束を折りローラ間に挟み込んで折り動作を行う。冊子として製本される用紙の束は、その上流側で印刷されて搬送されてくることが多い。
【０００３】
このような製本装置の一例について、図４を参照しながら説明する。
この製本装置は、用紙に印刷するプリンタ１００と、このプリンタ１００から送られて来た用紙の束を中綴じ折りする中綴じ折り機２００と、この中綴じ折り機で中綴じ折りされた冊子の小口を断裁する小口断裁機３００と、を備えており、更に、中綴じ折り機２００の詳細は次のとおりとなっている。
【０００４】
先ず、プリンタ１００で印刷された用紙は、中綴じ折り機２００に送られる。中綴じ折り機２００では、送られて来た用紙を、用紙搬送路２１０により、前方側のストッパ２４０にその先端辺が当接するまで搬送する。このとき、折りナイフ部２３０の折りナイフ２３１は、用紙の搬送路面より引っ込んでいて用紙が整然と下流側へ搬送され順次積層されるようになっている。続いて綴じ部２２０により、積層された用紙の束が中綴じされる。
【０００５】
中綴じされた用紙の束は、後方側のストッパ２４０まで移動して、中綴じされた部分が、折りナイフ部２３０の折りナイフ２３１位置となるようにする。
そして、この折りナイフ２３１で用紙束が折りローラ２５０間に押し込まれ、用紙束は折りたたまれて中綴じ折り冊子の状態となる。こうして中綴じ折りされた冊子は、排出部２６０のベルト２６１，２６２間に挟まれて搬送され、小口断裁機３００へと送られる（例えば、特許文献１参照）。
【特許文献１】特開２００５−６７７８９号公報
【発明の開示】
【発明が解決しようとする課題】
【０００６】
上述した背景技術の製本装置においては、プリンタ１００で印刷された用紙を中綴じ折り機２００で、順次積層し中綴じした後、折りナイフ２３１により折りローラ２５０間に押し込んで折りたたみ、排出部２６０により小口断裁機３００へと送り込む構成となっているので、折りナイフ２３１が折りたたまれる用紙束の印刷面に接触し、このとき、印刷に用いられたインクや液体トナーが乾ききっていないとそのインクや液体トナーが折りナイフ２３１に付着することになり、その後に折り処理される用紙に転写してしまいその印刷面を汚してしまう、という問題点があった。
しかも、折りナイフ２３１は中綴じ折り機２００の内部の、外からは手の届きにくい場所に配置されているため、清掃するのが困難であった。
【０００７】
本発明の目的は、上記背景技術における問題点に鑑みて、折りナイフを、その離れた位置から容易に清掃することができて用紙の印刷面が汚れないようにする製本装置折りナイフ清掃具及び製本装置を提供することにある。
【課題を解決するための手段】
【０００８】
本発明は、上記の課題を解決するために、以下の各手段構成を有する。
本発明は、前方は２枚の板状部材が向き合って開き力に対し弾性を有しており、
板状部材の向き合った各面には汚れ落し用の払拭部材が配され、後方は把持部となっていることを特徴とする製本装置折りナイフ清掃具である。
【０００９】
また、向き合った２枚の板状部材の先端部分が相互に離反する方向に反っていることを特徴とする前記製本装置折りナイフ清掃具である。
【００１０】
更に、板状部材の内面側の払拭部材が、先端部分で先端に行くにつれて薄くなっていることを特徴とする前記製本装置折りナイフ清掃具である。
【００１１】
更にまた、前方部分を平面的に見た形状が、Ｌ字状に幅広になっていることを特徴とする前記いずれか１項に記載の製本装置折りナイフ清掃具である。
【００１２】
更にまた、前記払拭部材が、不織布又は人工皮革で形成されていることを特徴とする前記いずれか１項に記載の製本装置折りナイフ清掃具である。
【００１３】
更にまた、外面に、マグネットを配置、固定したことを特徴とする前記いずれか１項に記載の製本装置折りナイフ清掃具である。
【００１４】
また、前記いずれか１項に記載の折りナイフを備え、用紙の束に対し前記折りナイフの先端を当接させて１対の折りローラ間に押し込み折り動作を行う折り機構の前記１対の折りローラ間を拡げる折りローラ間拡張手段を備えて成ることを特徴とする製本装置である。
【発明の効果】
【００１５】
本発明の製本装置折りナイフ清掃具においては、前方は２枚の板状部材が向き合って開き力に対し弾性を有しており、この板状部材の向きあった各面には汚れ落し用の払拭部材が配され、後方は把持部となっているので、折りナイフが製本装置内の手の届きにくい場所にあっても、この折りナイフの離れた位置から、折りナイフを容易に清掃することができて、折りナイフで、用紙の印刷面が汚れるのを防ぐことができる。
【発明を実施するための最良の形態】
【００１６】
本発明の製本装置折りナイフ清掃具を実施するための最良の形態は、前方が２枚の板状部材が向き合って開き力に対し弾性を有しており、板状部材の向き合った各面には汚れ落し用の払拭部材が配され、後方が把持部となっている。
また、向き合った２枚の板状部材の先端部分は、相互に離反する方向に反っているか、その内側の払拭部材が、先端部分で先端に行くにつれて薄くなっている。
更に、外面にはマグネットが配置、固定された構成、構造となっている。
【００１７】
本発明の製本装置を実施するための最良の形態は、用紙の束に対し折りナイフの先端を当接させて１対の折りローラ間に押し込み折り動作を行う折り機構の上記１対の折りローラ間を拡げる折りローラ間拡張手段を備えた構成、構造となっている。
【実施例１】
【００１８】
次に本発明の実施例について図面を参照して説明する。
図１（ａ），（ｂ）は本発明の実施例１を説明するための、製本装置の折りナイフと製本装置折りナイフ清掃具（以下、単に折りナイフ清掃具という、図示同様）との関係を示す、折りナイフ清掃具が配置された製本装置の全体図及びその折りナイフと折りナイフ清掃具部分を矢印方向から見た図、図２（ａ），（ｂ）は、折りナイフ清掃具の斜視図及び折りナイフを挟持した状態を示す側面図である。
この実施例１における折りナイフ清掃具４００は、図２（ａ），（ｂ）に示すように、折りナイフ２３１の両面に密着してこれを挟み付ける２枚の払拭部材４２０と、これら２枚の払拭部材４２０を、折りナイフ２３１の面に対し摺動可能なようにその外面側で接着、固定保持して折りナイフ２３１から離れた位置から操作できるように長く形成された外殻部材４１０と、この外殻部材４１０の外面側に配置、固定された板状のマグネット４３０と、を有する構造となっており、板状の折りナイフ２３１をその両面に密着するように挟み付けてこの折りナイフ２３１の面を摺動し、この面を清掃するようになっている。
【００１９】
この折りナイフ清掃具４００は、折りナイフ２３１の挿入端部分（前方）が、外殻部材４１０及び払拭部材４２０共先端側ほど広くなるように形成されていて、折りナイフ２３１への挿入が容易にできるようになっている。
また、後方は把持部となっていてこの部分を手で持って清掃等の操作が折りナイフから離れた位置でできるようにしている。
なお、払拭部材４２０は、不織布や人工皮革などで形成され、また、マグネット４３０は、この折りナイフ清掃具４００が装置から取り外された時などに、保管場所に保持、固定するのに用いられる。
【００２０】
また、製本装置は通常、搬送路が一定の幅を有しており、従って折りナイフ２３１もその幅に見合った長さとなっている。従って、この長さを有する折りナイフ２３１を清掃するにはその長手方向に摺動させる必要があるが、排出部２６０のベルト２６１，２６２によってその摺動動作が妨げられることもあり、その場合には、図１（ｂ）に示すように、摺動可能な範囲で摺動させる、という動作を繰り返す必要がある。
また、ベルト２６１，２６２の部分も摺動できるように、図１（ｂ）の４００−ａ，４００−ｂ及び図２（ａ）の破線のように、前方部分をＬ字状に幅広に形成しておくとよい。
【実施例２】
【００２１】
図３（ａ），（ｂ）は、本発明の実施例２を説明するための折りナイフ清掃具の部分斜視図、及びその折りナイフ清掃具との関係を示す側面図である。
この実施例２における折りナイフ清掃具４００Ａは、その外殻部材４１０Ａ及び払拭部材４２０Ａの折りナイフへの挿入端部分（前方）が実施例１とは異なり、共平板状となっており、その代り、払拭部材４２０Ａの先端辺部分が、その内側で、面取り状に切り欠かれていて先端に行くにつれて薄くなっており、折りナイフ２３１への挿入が容易にできるようになっている。
その他の部分は前述の実施例１と同様である。
【００２２】
なお、これら実施例における製本装置は、１対の折りローラ２５０の間から折りローラ清掃具が容易に挿入できるように、これら折りローラ２５０間を拡げる、カム機構等による折りローラ拡張手段５００を設けると良い。
【図面の簡単な説明】
【００２３】
【図１】本発明の実施例１を説明するための製本装置の折りナイフと折りナイフ清掃具との関係を示す製本装置全体の側面図及びその矢視方向から見た図である。
【図２】本発明の実施例１を説明するための折りナイフ清掃具の斜視図及びその折りナイフを挟持した状態を示す側面図である。
【図３】本発明の実施例２を説明するための折りナイフ清掃具の部分斜視図及びその折りナイフを挟持した状態を示す側面図である。
【図４】背景技術を説明するための製本装置全体の配置側面図である。
【符号の説明】
【００２４】
１００  プリンタ
２００  中綴じ折り機
２１０  用紙搬送路
２２０  綴じ部
２３０  折りナイフ部
２３１  折りナイフ
２４０  ストッパ
２５０  折りローラ
２６０  排出部
２６１，２６２  ベルト
３００  小口断裁機
４００，４００−ａ〜４００−ｃ，４００Ａ  折りナイフ清掃具
４１０，４１０Ａ  外殻部材
４２０，４２０Ａ  払拭部材
４３０  マグネット
５００  折りローラ間拡張手段
【図１】
2007191231.tif 000003
【図２】
2007191231.tif 000004
【図３】
2007191231.tif 000005
【図４】
2007191231.tif 000006